(57)【要約】【課題】ミュート機能の利便性を向上させることが可能なインターホンシステムを提供する。【解決手段】呼出の操作を行うための玄関子機２０と、玄関子機２０と通信可能に構成された居室親機３０と、居室親機３０と通信可能な携帯端末５０と、を備え、居室親機３０は、玄関子機２０からの呼出信号に基づいて呼出音を報知する親機スピーカ３２と、呼出音の音量をミュート状態に設定することが可能なミュート設定部３６と、呼出信号を携帯端末５０に送信可能な居室親機通信インターフェース３７と、を有し、携帯端末５０は、呼出信号に基づいて呼出動作である呼出音の報知を行う端末スピーカ５２を有し、居室親機３０がミュート状態に設定されているとき、居室親機３０の居室親機通信インターフェース３７は玄関子機２０からの呼出信号を携帯端末５０に送信し、呼出信号に基づいて端末スピーカ５２は呼出音を報知する。【選択図】図１
2018166263.tif 000002
【特許請求の範囲】
【請求項１】
呼出の操作を行うための玄関子機と、
前記玄関子機と通信可能に構成された居室親機と、
前記居室親機と通信可能な携帯端末と、
を備え、
前記居室親機は、
前記玄関子機からの呼出信号に基づいて呼出音を報知する居室報知部と、
前記呼出音の音量をミュート状態に設定することが可能なミュート設定部と、
前記呼出信号を前記携帯端末に送信可能な送信部と、
を有し、
前記携帯端末は、前記呼出信号に基づいて呼出動作を行う携帯報知部を有し、
前記居室親機が前記ミュート状態に設定されているとき、前記居室親機の送信部は前記玄関子機からの前記呼出信号を前記携帯端末に送信し、前記呼出信号に基づいて前記携帯報知部は呼出動作を行う、
インターホンシステム。
【請求項２】
所定の時間、前記呼出信号に基づいて前記携帯報知部が呼出動作を行っている状態が継続した場合、前記居室親機の前記ミュート状態は解除されて、前記居室報知部から呼出音が報知される、
請求項１に記載のインターホンシステム。
【請求項３】
前記携帯端末に所定時間の間に前記呼出信号に基づく二回以上の呼出が有った場合、前記居室親機の前記ミュート状態は解除されて、前記居室報知部から呼出音が報知される、
請求項１または請求項２に記載のインターホンシステム。
【請求項４】
前記携帯端末が前記呼出信号を受信した際に前記居室親機に向けて返信される応答信号が前記携帯端末から所定時間の間に返信されなかった場合、前記居室親機の前記ミュート状態は解除されて、前記居室報知部から呼出音が報知される、
請求項１から３のいずれか一項に記載のインターホンシステム。
【請求項５】
前記携帯端末は、居室の周辺に構築されたローカル通信網を介して前記居室親機と通信可能であるとともに、前記携帯端末が前記ローカル通信網から外れた位置に存在している場合には外部の公衆回線網を介して前記居室親機と通信可能であり、
前記携帯端末が前記ローカル通信網から外れた位置に移動したことが前記居室親機に検出されたとき、前記居室親機は前記ミュート状態に設定される、
請求項１から請求項４のいずれか一項に記載のインターホンシステム。
【請求項６】
前記携帯端末が前記ローカル通信網から外れた位置に移動した後、前記携帯端末が前記ローカル通信網内に移動したことが前記居室親機に検出されたとき、前記居室親機の前記ミュート状態は解除される、
請求項５に記載のインターホンシステム。
【発明の詳細な説明】
【技術分野】
【０００１】
本発明は、インターホンシステムに関する。
【背景技術】
【０００２】
従来、インターホンシステムを構成する居室親機に消音機能（ミュート機能）が付加されたものがある。
【先行技術文献】
【特許文献】
【０００３】
【特許文献１】特開平１１−１２７２４８号公報
【発明の概要】
【発明が解決しようとする課題】
【０００４】
しかしながら、従来のインターホンシステムでは、例えば使用者がミュート機能を設定したことを失念してしまった場合、来訪者の呼出に気づくことができない場合があった。このように、従来のインターホンシステムでは、ミュート機能の利便性に改善の余地があった。
【０００５】
本発明の目的は、ミュート機能の利便性を向上させることが可能なインターホンシステムを提供することである。
【課題を解決するための手段】
【０００６】
本発明にかかるインターホンシステムは、
呼出の操作を行うための玄関子機と、
前記玄関子機と通信可能に構成された居室親機と、
前記居室親機と通信可能な携帯端末と、
を備え、
前記居室親機は、
前記玄関子機からの呼出信号に基づいて呼出音を報知する居室報知部と、
前記呼出音の音量をミュート状態に設定することが可能なミュート設定部と、
前記呼出信号を前記携帯端末に送信可能な送信部と、
を有し、
前記携帯端末は、前記呼出信号に基づいて呼出動作を行う携帯報知部を有し、
前記居室親機が前記ミュート状態に設定されているとき、前記居室親機の送信部は前記玄関子機からの前記呼出信号を前記携帯端末に送信し、前記呼出信号に基づいて前記携帯報知部は呼出動作を行う。
【０００７】
上記構成によれば、居室親機がミュート状態に設定されているとき、呼出信号が携帯端末に送信されて、携帯端末が呼出動作（呼出音、振動、メッセージ等）を行う。このため、例えば使用者がミュート機能を設定したことを失念してしまった場合であっても、使用者は、自身の携帯端末の呼出動作によって来訪者の呼出に気づきやすくなる。このため、ミュート機能を設定する際の使用者の心理的な不安が減り、ミュート機能の使い勝手（利便性）が向上する。
【０００８】
本発明のインターホンシステムにおいて、所定の時間、前記呼出信号に基づいて前記携帯報知部が呼出動作を行っている状態が継続した場合、前記居室親機の前記ミュート状態は解除されて、前記居室報知部から呼出音が報知されてもよい。
【０００９】
上記構成によれば、例えば使用者が携帯端末から離れた位置にいて呼出動作に気付かなかった場合であっても、居室親機のミュート状態は自動的に解除されて、居室報知部から呼出音が報知される。このため、使用者は来訪者の呼出に気づきやすくなる。
【００１０】
本発明のインターホンシステムにおいて、前記携帯端末に所定時間の間に前記呼出信号に基づく二回以上の呼出が有った場合、前記居室親機の前記ミュート状態は解除されて、前記居室報知部から呼出音が報知されてもよい。
【００１１】
上記構成によれば、例えば使用者が携帯端末から離れた位置にいて二回以上の呼出に気付かなかった場合であっても、居室親機のミュート状態は自動的に解除されて、居室報知部から呼出音が報知される。このため、使用者は来訪者の呼出に気づきやすくなる。
【００１２】
本発明のインターホンシステムにおいて、前記携帯端末が前記呼出信号を受信した際に前記居室親機に向けて返信される応答信号が前記携帯端末から所定時間の間に返信されなかった場合、前記居室親機の前記ミュート状態は解除されて、前記居室報知部から呼出音が報知されてもよい。
【００１３】
上記構成によれば、例えば携帯端末のバッテリーが切れて使用不可の状態であった場合、居室親機のミュート状態が自動的に解除されて、居室報知部から呼出音が報知される。このため、来訪者の呼出に気づきやすくなる。
【００１４】
本発明のインターホンシステムにおいて、前記携帯端末は、居室の周辺に構築されたローカル通信網を介して前記居室親機と通信可能であるとともに、前記携帯端末が前記ローカル通信網から外れた位置に存在している場合には外部の公衆回線網を介して前記居室親機と通信可能であり、
前記携帯端末が前記ローカル通信網から外れた位置に移動したことが前記居室親機に検出されたとき、前記居室親機は前記ミュート状態に設定されてもよい。
【００１５】
上記構成によれば、携帯端末がローカル通信網から外れた位置に移動したとき、居室親機はミュート状態に自動的に設定される。このため、ミュート状態に設定する作業を手動で行うことが不要となり、ミュート機能の利便性が向上する。
【００１６】
本発明のインターホンシステムにおいて、前記携帯端末が前記ローカル通信網から外れた位置に移動した後、前記携帯端末が前記ローカル通信網内に移動したことが前記居室親機に検出されたとき、前記居室親機の前記ミュート状態は解除されてもよい。
【００１７】
上記構成によれば、携帯端末がローカル通信網内に再び戻ってきたとき、居室親機のミュート状態が自動的に解除される。このため、ミュート状態を解除する作業を手動で行うことが不要となり、ミュート機能の利便性が向上する。
【発明の効果】
【００１８】
本発明によれば、ミュート機能の利便性を向上させることが可能なインターホンシステムを提供することができる。
【図面の簡単な説明】
【００１９】
【図１】本発明の実施形態を示すインターホンシステムの概略構成図である。
【図２】本発明の実施形態を示すインターホンシステムの構成を説明する図であって、（ａ）は玄関子機の概略ブロック図、（ｂ）は居室親機の概略ブロック図、（ｃ）は携帯端末の概略ブロック図である。
【図３】居室親機におけるミュート状態の自動設定及び自動解除について説明する図であって、（ａ）は携帯端末がローカル通信エリアから外れた位置に存在する場合の構成図、（ｂ）は携帯端末がローカル通信エリア内に存在する場合の構成図である。
【図４】複数台の携帯端末を備える場合の居室親機におけるミュート状態の自動設定及び自動解除について説明する図であって、（ａ）は全ての携帯端末がローカル通信エリア内に存在する場合の構成図、（ｂ）は全ての携帯端末がローカル通信エリアから外れた位置に存在する場合の構成図、（ｃ）は１台の携帯端末がローカル通信エリア内に存在する場合の構成図である。
【発明を実施するための形態】
【００２０】
以下、本実施形態の一例について、図面を参照して説明する。
図１に示すように、インターホンシステム１は、玄関子機２０と、居室親機３０と、携帯端末５０とを備えている。図１は、一戸建て住宅Ｊに設置されたインターホンシステム１を示している。
【００２１】
玄関子機２０は、住宅Ｊの玄関に設置されて、居住者を呼び出して通話するために用いられる。居室親機３０は、住宅Ｊの居室内に設置されて、玄関子機２０からの呼び出しに対して応答するために用いられる。玄関子機２０と居室親機３０とは信号線Ｌを介して通信可能に構成されている。
【００２２】
図２（ａ）に示すように、玄関子機２０は、玄関マイク２１、玄関スピーカ２２、呼出ボタン２３、カメラ２４、玄関子機ＣＰＵ２５及び玄関子機通信インターフェース２７を備えている。玄関子機２０は、住宅Ｊの居室内に在宅中の居住者を呼び出す際に、来訪者が所定の呼出操作を行うためのものであり、住宅Ｊの玄関における外壁面等に設けられている。
【００２３】
玄関マイク２１及び玄関スピーカ２２は、来訪者が居住者との間で通話をする際に、音声を入出力するためのものである。呼出ボタン２３は、来訪者が居住者を呼び出すための呼出操作を行う際に来訪者によって操作される部分である。カメラ２４は、呼出操作を行う来訪者を撮影するためのものである。
【００２４】
玄関マイク２１、玄関スピーカ２２、呼出ボタン２３及びカメラ２４は、玄関子機ＣＰＵ２５に接続されている。玄関子機ＣＰＵ２５には、玄関マイク２１からの音声信号及びカメラ２４からの映像信号が送信され、また、呼出ボタン２３で操作されることで呼出ボタン２３から入力信号が送信される。また、玄関子機ＣＰＵ２５は、玄関スピーカ２２へ音声信号を出力する。玄関子機ＣＰＵ２５は、玄関子機２０を制御する。玄関子機ＣＰＵ２５には、玄関子機通信インターフェース２７が接続されており、これにより、玄関子機２０は、玄関子機通信インターフェース２７を介して玄関子機ＣＰＵ２５が居室親機３０との間で信号の送受信を行う。
【００２５】
図２（ｂ）に示すように、居室親機３０は、親機マイク３１、親機スピーカ（居室報知部の一例）３２、親機操作部３３、親機表示部３４、居室親機ＣＰＵ３５、ミュート設定部３６及び居室親機通信インターフェース（送信部の一例）３７を備えている。居室親機３０は、玄関子機２０からの来訪者による呼出に応答するためのものであり、住宅Ｊにおける室内の壁面等に設けられている。
【００２６】
親機マイク３１及び親機スピーカ３２は、居住者が来訪者との間で通話をする際に、音声を入出力するためのものである。親機操作部３３は、居住者によって操作される部分である。この親機操作部３３は、玄関子機２０からの呼出へ応対するための応対操作を受け付ける。例えば、親機操作部３３を操作することで、玄関子機２０からの呼出に応対すべく、来訪者との間での通話を可能としたり、エントランスの扉を開放する解除操作が行われる。親機表示部３４は、玄関子機２０のカメラ２４で撮影された来訪者の映像を表示するためのものである。この親機表示部３４は、タッチパネルからなるもので、この親機表示部３４の一部も親機操作部３３を構成している。ミュート設定部３６は、居室親機ＣＰＵ３５に接続されている。このミュート設定部３６は、親機操作部３３からの操作等によって居室親機３０に対してミュート状態の設定及びミュート状態の解除を行う。
【００２７】
親機マイク３１、親機スピーカ３２、親機操作部３３及び親機表示部３４は、居室親機ＣＰＵ３５に接続されている。居室親機ＣＰＵ３５には、親機マイク３１からの音声信号が送信され、また、居室親機ＣＰＵ３５には、親機操作部３３で操作されることで親機操作部３３から入力信号が送信される。また、居室親機ＣＰＵ３５は、親機スピーカ３２へ音声信号を出力し、親機表示部３４へ映像信号を出力する。居室親機ＣＰＵ３５は、居室親機３０を制御する。居室親機ＣＰＵ３５には、居室親機通信インターフェース３７が接続されており、これにより、居室親機３０は、居室親機通信インターフェース３７を介して居室親機ＣＰＵ３５が玄関子機２０との間で信号の送受信を行う。
【００２８】
また、この居室親機通信インターフェース３７は、例えばＷｉｆｉ（登録商標）ルータなどの中継器からなる通信装置３８に接続されている（図１参照）。これにより、居室親機通信インターフェース３７は、通信装置３８によって通信可能なエリア（Ｗｉｆｉエリア）であるローカル通信エリア（ローカル通信網の一例）ＬＡ内の通信機器との通信が可能とされている。さらに、居室親機通信インターフェース３７は、通信ネットワークであるインターネット（公衆回線網の一例）Ｉｎにも接続されており、インターネットＩｎを介した通信が可能とされている。
【００２９】
図２（ｃ）に示すように、携帯端末５０は、端末マイク５１、端末スピーカ（携帯報知部の一例）５２、端末操作部５３、端末表示部５４、携帯端末ＣＰＵ５５及び携帯端末通信インターフェース５７を備えている。携帯端末５０は、住宅Ｊの居住者に携帯される携帯電話やスマートフォン等の端末である。
【００３０】
端末マイク５１及び端末スピーカ５２は、携帯端末５０の所有者が他の携帯端末５０や固定電話等との間で通話をする際に、音声を入出力するためのものである。端末操作部５３は、携帯端末５０の所有者によって各種操作される部分である。
【００３１】
端末表示部５４は、玄関子機２０のカメラ２４で撮影された来訪者の映像や各種の情報が表示可能とされている。この端末表示部５４は、タッチパネルからなるもので、この端末表示部５４の一部も端末操作部５３を構成している。
【００３２】
端末マイク５１、端末スピーカ５２、端末操作部５３及び端末表示部５４は、携帯端末ＣＰＵ５５に接続されている。携帯端末ＣＰＵ５５には、端末マイク５１からの音声信号が送信され、また、携帯端末ＣＰＵ５５には、端末操作部５３で操作されることで端末操作部５３から入力信号が送信される。また、携帯端末ＣＰＵ５５は、端末スピーカ５２へ音声信号を出力し、端末表示部５４へ映像信号を出力する。携帯端末ＣＰＵ５５は、携帯端末５０を制御する。また、携帯端末５０は、記憶部（図示略）に格納されているアプリケーションを用いた操作が可能とされている。
【００３３】
携帯端末ＣＰＵ５５には、携帯端末通信インターフェース５７が接続されている。携帯端末通信インターフェース５７は、ローカル通信エリアＬＡ内に携帯端末５０が入っている状態で通信装置３８を介して居室親機３０の居室親機通信インターフェース３７と通信可能とされる。また、携帯端末通信インターフェース５７は、インターネットＩｎに接続可能であり、インターネットＩｎを介した通信が可能とされている。そして、携帯端末５０は、例えば電話番号やメールアドレスなどの端末特定情報を居室親機３０に登録しておくことで、通信装置３８あるいはインターネットＩｎを介して、居室親機３０と通信可能とされる。これにより、携帯端末５０は、玄関子機２０からの呼出信号を、居室親機３０を介して受信可能とされている。
【００３４】
上記構成のインターホンシステム１０では、来訪者が玄関子機２０の呼出ボタン２３を押下すると、居室親機３０において、親機スピーカ３２から呼出音が報知される。したがって、居住者は、来訪者の存在を認識し、必要に応じて居室親機３０を操作して来訪者の呼出に対応する。なお、呼出音は、来訪者を知らせる電子音などの音だけでなく、来訪者を知らせるメッセージなどの音声も含まれる。
【００３５】
ところで、居住者は、休息時や夜間などにおいて、居室親機３０における呼出音を鳴らしたくない場合がある。このような場合、居住者は居室親機３０をミュート状態に設定し、居室親機３０の親機スピーカ３２からの呼出音を消音させることができる。しかし、居室親機３０の親機スピーカ３２からの呼出音が消音となると、ミュート状態であることを失念した場合に居住者が玄関子機２０からの呼出に気が付かなくなるおそれがある。
【００３６】
このため、本実施形態に係るインターホンシステム１０では、利便性を高めたミュート機能を備えている。
【００３７】
次に、上記構成のインターホンシステム１０におけるミュート機能について説明する。
（ミュート状態の設定）
居室親機３０は、居住者が居室親機３０の親機操作部３３を操作することによってミュート状態に設定される。また、居室親機３０のミュート状態への設定操作は、携帯端末５０のアプリケーションを操作することでも行うことができる。このように、居室親機３０に対してミュート状態への設定操作が行われると、居室親機３０のミュート設定部３６によって居室親機３０がミュート状態に設定される。
【００３８】
（ミュート状態での呼出）
居室親機３０がミュート状態に設定された状態で、来訪者によって玄関子機２０の呼出ボタン２３が押下されると、居室親機３０では、居室親機ＣＰＵ３５が親機スピーカ３２からの呼出音の報知を行わず、居室親機通信インターフェース３７から呼出信号を携帯端末５０へ送信する。なお、居室親機３０は、ミュート状態に設定された状態での呼出時に、呼出音の報知を行わないだけでなく、親機スピーカ３２から僅かに呼出音が鳴るようにしてもよい。
【００３９】
携帯端末５０では、携帯端末インターフェース５７によって受信された呼出信号に基づいて携帯端末ＣＰＵ５５が呼出動作を行う。この携帯端末５０における呼出動作は、端末スピーカ５２からの呼出音やメッセージの報知あるいはバイブレータによる振動などである。したがって、携帯端末５０を所持している居住者は、居室親機３０がミュート状態であっても携帯端末５０からの呼出動作によって来訪者を認識することができる。
【００４０】
（ミュート状態の解除）
（１）操作部の操作による手動解除
居室親機３０は、居住者が居室親機３０の親機操作部３３を操作することによってミュート状態の設定が解除される。また、居室親機３０のミュート状態の解除操作は、携帯端末５０のアプリケーションを操作することでも行うことができる。このように、居室親機３０に対してミュート状態の解除操作が行われると、居室親機３０のミュート設定部３６によって居室親機３０のミュート状態が解除され、玄関子機２０からの呼出に対して居室親機３０の親機スピーカ３２から呼出音が報知されるようになる。
【００４１】
（２）呼出時間に基づく自動解除
呼出信号に基づいて携帯端末５０が呼出動作を行っている状態が、予め設定された所定の時間継続した場合、居室親機３０のミュート設定部３６が居室親機３０のミュート状態を自動的に解除する。これにより、玄関子機２０からの呼出に対して居室親機３０の親機スピーカ３２から呼出音が報知される。なお、所定の時間である呼出時間の設定は居住者によって変更可能とされている。
【００４２】
（３）呼出回数に基づく自動解除
携帯端末５０において、予め設定された所定時間の間に呼出信号に基づく二回以上の呼出が有った場合、居室親機３０のミュート設定部３６が居室親機３０のミュート状態を自動的に解除する。これにより、玄関子機２０からの呼出に対して居室親機３０の親機スピーカ３２から呼出音が報知される。なお、所定時間は、一回の呼出状態の時間であり、例えば、４５秒程度とされている。
【００４３】
（４）携帯端末の状態に基づく自動解除
携帯端末５０は、居室親機３０から呼出信号を受信した際に、居室親機３０に向けて応答信号を返信する。携帯端末５０からの応答信号が居室親機３０へ所定時間の間に返信されなかった場合、居室親機３０のミュート設定部３６が居室親機３０のミュート状態を自動的に解除する。これにより、玄関子機２０からの呼出に対して居室親機３０の親機スピーカ３２から呼出音が報知される。例えば、携帯端末５０のバッテリーの充電量が下がる、いわゆるバッテリー切れの状態となって使用不可の状態となって居室親機３０への応答信号の返信ができなくなっているときなどにミュート状態が自動解除される。
【００４４】
以上、説明したように、本実施形態に係るインターホンシステム１０によれば、居室親機３０がミュート状態に設定されているとき、呼出信号が携帯端末５０に送信されて、携帯端末５０が呼出動作（呼出音、振動、メッセージ等）を行う。このため、例えば使用者がミュート機能を設定したことを失念してしまった場合であっても、居住者である使用者は、自身の携帯端末５０の呼出動作によって来訪者の呼出に気づきやすくなる。このため、ミュート機能を設定する際の使用者の心理的な不安が減り、ミュート機能の使い勝手（利便性）が向上する。
【００４５】
また、呼出信号に基づいて携帯端末５０が呼出動作を行っている状態が、予め設定された所定の時間継続した場合、居室親機３０のミュート設定部３６が居室親機３０のミュート状態を自動的に解除するので、例えば使用者が携帯端末５０から離れた位置にいて呼出動作に気付かなかった場合であっても、居室親機３０のミュート状態が自動的に解除されて、親機スピーカ３２から呼出音が報知される。このため、使用者は来訪者の呼出に気づきやすくなる。
【００４６】
さらに、携帯端末５０において、予め設定された所定時間の間に呼出信号に基づく二回以上の呼出が有った場合、居室親機３０のミュート設定部３６が居室親機３０のミュート状態を自動的に解除する。このため、例えば使用者が携帯端末５０から離れた位置にいて二回以上の呼出に気付かなかった場合であっても、居室親機３０のミュート状態が自動的に解除されて、親機スピーカ３２から呼出音が報知される。このため、使用者は来訪者の呼出に気づきやすくなる。
【００４７】
また、携帯端末５０からの応答信号が居室親機３０へ所定時間の間に返信されなかった場合、居室親機３０のミュート設定部３６が居室親機３０のミュート状態を自動的に解除するので、例えば携帯端末５０のバッテリーが切れて使用不可の状態であった場合、居室親機３０のミュート状態が自動的に解除されて、親機スピーカ３２から呼出音が報知される。このため、来訪者の呼出に気づきやすくなる。
【００４８】
なお、上記実施形態では、親機操作部３３によってミュート状態の設定及び解除を行うようにしたが、居室親機３０にミュート状態の設定及び解除を行う別個のボタンを設けてもよい。
【００４９】
また、居室親機３０のミュート状態の設定及び解除は、携帯端末５０の位置に基づいて自動設定及び自動解除を行ってもよい。
【００５０】
次に、携帯端末５０の位置に基づくミュート状態の自動設定及び自動解除について説明する。
【００５１】
（ミュート状態の自動設定）
図３（ａ）に示すように、携帯端末５０がローカル通信エリアＬＡから外れた位置に存在すると、携帯端末５０はインターネットＩｎを介して居室親機３０と通信可能となる。このように、携帯端末５０がローカル通信エリアＬＡから外れた位置に移動すると、居室親機３０は、携帯端末５０との通信状態に基づいて、携帯端末５０がローカル通信エリアＬＡから外れた位置に存在することを検出する。すると、居室親機３０は、ミュート設定部３６によってミュート状態に設定される。これにより、玄関子機２０からの呼出に対して居室親機３０の親機スピーカ３２から呼出音が報知されることなく、携帯端末５０で呼出動作が行われる。例えば、居住者が携帯端末５０を持って外出し、子供が住宅Ｊで留守番している場合に、居室親機３０から呼出音が報知されて子供が勝手に応対するようなことがない。したがって、居住者は安心して外出することができる。
【００５２】
このように、携帯端末５０がローカル通信エリアＬＡから外れた位置に移動したとき、居室親機３０がミュート設定部３６によってミュート状態に自動的に設定される。このため、ミュート状態に設定する作業を手動で行うことが不要となり、ミュート機能の利便性が向上する。
【００５３】
（ミュート状態の自動解除）
携帯端末５０がローカル通信エリアＬＡから外れた位置に移動した後、図３（ｂ）に示すように、ローカル通信エリアＬＡ内に移動すると、携帯端末５０は通信装置３８を介して居室親機３０と通信可能となる。このように、携帯端末５０がローカル通信エリアＬＡ内に移動すると、居室親機３０は、携帯端末５０との通信状態に基づいて、携帯端末５０がローカル通信エリアＬＡ内に存在することを検出する。すると、居室親機３０は、ミュート設定部３６によってミュート状態が解除される。これにより、玄関子機２０からの呼出に対して居室親機３０の親機スピーカ３２から呼出音が報知される。
【００５４】
このように、携帯端末５０がローカル通信エリアＬＡ内に再び戻ってきたとき、居室親機３０のミュート状態がミュート設定部３６によって自動的に解除される。このため、ミュート状態を解除する作業を手動で行うことが不要となり、ミュート機能の利便性が向上する。
【００５５】
次に、複数の携帯端末５０が居室親機３０に登録されている場合の自動設定及び自動解除について説明する。
【００５６】
（ミュート状態の自動設定）
図４（ａ）に示すように、複数台（本例では３台）の携帯端末５０（５０ａ，５０ｂ，５０ｃ）の電話番号が居室親機３０に登録され、通信装置３８あるいはインターネットＩｎを介して居室親機３０と通信可能とされている状態において、図４（ｂ）に示すように、全ての携帯端末５０がローカル通信エリアＬＡから外れた位置に移動すると、居室親機３０は、それぞれの携帯端末５０との通信状態に基づいて、全ての携帯端末５０がローカル通信エリアＬＡから外れた位置に存在することを検出する。すると、居室親機３０は、ミュート設定部３６によってミュート状態に自動的に設定される。これにより、玄関子機２０からの呼出に対して居室親機３０の親機スピーカ３２から呼出音が報知されることなく、全て（３台）の携帯端末５０で呼出動作が行われる。
【００５７】
なお、上記例に限らず、例えば、少なくとも一台の携帯端末５０ａがローカル通信エリアＬＡから外れた位置に移動した場合に、居室親機３０が、外れた位置に移動した携帯端末５０ａとの通信状態に基づいて、その携帯端末５０ａがローカル通信エリアＬＡから外れた位置に存在することを検出し、ミュート設定部３６によって居室親機３０がミュート状態に自動的に設定される構成としても良い。
【００５８】
（ミュート状態の自動解除）
全ての携帯端末５０がローカル通信エリアＬＡから外れた位置に移動してミュート状態に設定された後、図４（ｃ）に示すように、少なくとも１台の携帯端末５０ｂがローカル通信エリアＬＡ内に移動することで、１台の携帯端末５０ｂがローカル通信エリアＬＡ内に存在することを居室親機３０が検出すると、残り（２台）の携帯端末５０ａ，５０ｃがローカル通信エリアＬＡから外れた位置に存在していても、居室親機３０のミュート設定部３６によってミュート状態が解除される。
この場合の呼出動作について、例えば、まず、ローカル通信エリアＬＡから外れた位置の残り（２台）の携帯端末５０ａ，５０ｃが呼出動作を行う。携帯端末５０ａ，５０ｃによって応対がなされなかったとき、次に、ローカル通信エリアＬＡ内の携帯端末５０ｂが呼出動作を行う。そして、携帯端末５０ｂでも応対がなされなかったとき、居室親機３０の親機スピーカ３２から呼出音が報知される。
【００５９】
なお、呼出動作の順序については、ローカル通信エリアＬＡから外れた位置の残り（２台）の携帯端末５０ａ，５０ｃが呼出動作を行った後、次に、居室親機３０の親機スピーカ３２から呼出音が報知される構成としても良い。そして、居室親機３０でも応対がなされなかったとき、ローカル通信エリアＬＡ内の携帯端末５０ｂが呼出動作を行うようにしても良い。
【００６０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００６１】
例えば、住宅Ｊにおけるローカル通信エリアＬＡは、通信装置３８によって通信可能なエリア（Ｗｉｆｉエリア）に限らず、ジオフェンスの情報に基づいて設定されるエリアでもよい。例えば、携帯端末５０にインストールされた専用のアプリケーションによって居室位置情報を事前に登録しておくことで、居室親機３０の居室親機ＣＰＵ３５が住宅Ｊの仮想の範囲であるジオフェンスを求める。そして、このジオフェンスの情報を住宅Ｊのローカル通信エリアＬＡとして記録させる。
【００６２】
また、上記の実施形態では、戸建ての例を説明したが、集合住宅に本発明を適用しても良いことは明らかである。
【符号の説明】
【００６３】
１０：インターホンシステム、２０：玄関子機、３０：居室親機、３２：親機スピーカ（居室報知部の一例）、３６：ミュート設定部、３７：居室親機通信インターフェース（送信部の一例）、５０：携帯端末、５２：端末スピーカ（携帯報知部の一例）、ＬＡ：ローカル通信エリア（ローカル通信網の一例）、Ｉｎ：インターネット（公衆回線網の一例）
【図１】
2018166263.tif 000003
【図２】
2018166263.tif 000004
【図３】
2018166263.tif 000005
【図４】
2018166263.tif 000006